(57)【要約】【課題】掃除具において柄とヘッドの組み合わせの多様化を図る。【解決手段】挿入筒部１０には清掃具用柄４の先端が挿入される。この挿入筒部１０と同軸且つ連続して配置される突出部２０は、清掃具用ヘッドに設けられる柄連結筒４０に対して挿入される。挿入筒部１０には径方向に固定孔１２が形成されて清掃具用柄４の先端とピン部材によって連結可能となっている。更に突出部２０が、突端側に向かって細くなるような部分円錐形状となっている。【選択図】図４
0003122257.tif 000002
【実用新案登録請求の範囲】
【請求項１】
清掃具用柄の先端が、自身の内部に挿入される挿入筒部と、
前記挿入筒部と同軸且つ連続して配置され、清掃具用ヘッドに設けられる柄連結筒に対して挿入される断面円形の突出部と、を備え、
前記挿入筒部には径方向に固定孔が形成されることで、ピン部材を前記固定孔と前記清掃具用柄に連続貫通させて連結可能となっており、
前記突出部が、突端側に向かって細くなるような部分円錐形状となっていることを特徴とする清掃具用アジャスタ。
【請求項２】
前記突出部として、前記挿入筒部側に連続配置される第１突出片、及び前記第１突出片と連続配置される第２突出片を備えており、
前記第１突出片の部分円錐形状の傾斜角が、前記第２突出片の部分円錐の傾斜角よりも大きいことを特徴とする請求項１記載の清掃具用アジャスタ。
【請求項３】
前記挿入用筒部の外周面には、滑り止め用の凹凸が形成されていることを特徴とする請求項１又は２記載の清掃具用アジャスタ。
【請求項４】
前記突出部には径方向に連結孔が形成されており、ピン部材を前記連結孔と前記清掃具用ヘッドの柄連結筒に連続貫通させて連結可能となっていることを特徴とする請求項１、２又は３記載の清掃具用アジャスタ。
【請求項５】
前記突出部の最小外径が、前記挿入筒部の内径と比較して小さく設定されていることを特徴とする請求項１乃至４のいずれか記載の清掃具用アジャスタ。
【請求項６】
清掃具用柄と、
請求項１乃至５のいずれか記載の清掃具用アジャスタと、
前記清掃具用アジャスタを介して前記清掃具用柄と連結される清掃具用ヘッドと、
を備えることを特徴とする清掃具。
【考案の詳細な説明】
【技術分野】
【０００１】
本考案は、モップや箒等の清掃具に用いられ、特に、柄とヘッドを連結する際に利用する清掃具用のアジャスタに関するものである。
【背景技術】
【０００２】
清掃具の中でも例えば、モップ、ブラシ、ワイパー、たわし、箒などの部類は、手で握る柄と、柄の先端に固定されているヘッドから構成されることが多い。従ってヘッドには柄連結筒が設けられており、この柄連結筒に対して柄の先端が挿入されることで、両者が一体となっている。一般的に、柄とヘッドはセット販売されており、両者を分離することは為されていないが、清掃具メーカーによっては、柄とヘッドのサイズを統一することで、一種類の柄で複数のヘッドを使い分けることが出来るようになっている。
【考案の開示】
【考案が解決しようとする課題】
【０００３】
様々な場所を清掃する清掃業者は、場所に応じて様々な清掃具を利用する必要がある。しかし、全ての清掃具を一つのメーカーでそろえることは現実的には難しい。従って、複数のメーカーの清掃具を併用することになるので、複数種類の柄と各種ヘッドを持ち歩かなければならないという問題があった。特に、柄は長尺であることから、本数が増えるほど運搬が煩雑になるという問題があった。
【０００４】
本考案は上記問題点に鑑みて為されたものであり、少ない柄で様々なヘッドを利用できる清掃具用アジャスタを提供することを目的とする。
【課題を解決するための手段】
【０００５】
上記目的は、以下の手段によって達成されるものである。
【０００６】
（１）清掃具用柄の先端が、自身の内部に挿入される挿入筒部と、前記挿入筒部と同軸且つ連続して配置され、清掃具用ヘッドに設けられる柄連結筒に対して挿入される断面円形の突出部と、を備え、前記挿入筒部には径方向に固定孔が形成されることで、ピン部材を前記固定孔と前記清掃具用柄に連続貫通させて連結可能となっており、前記突出部が、突端側に向かって細くなるような部分円錐形状となっていること特徴とする清掃具用アジャスタ。
【０００７】
（２）前記突出部として、前記挿入筒部側に連続配置される第１突出片、及び前記第１突出片と連続配置される第２突出片を備えており、前記第１突出片の部分円錐形状の傾斜角が、前記第２突出片の部分円錐の傾斜角よりも大きいことを特徴とする上記（１）記載の清掃具用アジャスタ。
【０００８】
（３）前記挿入用筒部の外周面には、滑り止め用の凹凸が形成されていることを特徴とする上記（１）又は（２）記載の清掃具用アジャスタ。
【０００９】
（４）前記突出部には径方向に連結孔が形成されており、ピン部材を前記連結孔と前記清掃具用ヘッドの柄連結筒に連続貫通させて連結可能となっていることを特徴とする上記（１）、（２）又は（３）記載の清掃具用アジャスタ。
【００１０】
（５）前記突出部の最小外径が、前記挿入筒部の内径と比較して小さく設定されていることを特徴とする上記（１）乃至（４）のいずれか記載の清掃具用アジャスタ。
【００１１】
（６）清掃具用柄と、上記（１）乃至（５）のいずれか記載の清掃具用アジャスタと、前記清掃具用アジャスタを介して前記清掃具用柄と連結される清掃具用ヘッドと、を備えることを特徴とする清掃具。
【考案の効果】
【００１２】
本考案によれば、一つの柄で様々なヘッドに対応することが可能になり、清掃具の利便性を向上させることが可能になる。
【考案を実施するための最良の形態】
【００１３】
以下、図面を参照しながら本考案の実施の形態の例について詳細に説明する。
【００１４】
図１は、本考案の実施の形態に係る掃除具１の全体構成が示されている。この掃除具１は、掃除具用の柄４と、掃除具用のアジャスタ６と、掃除具用のヘッド８を備えている。ヘッド８は、モップ、ブラシ、ワイパー、たわし、箒など様々な用途が考えられるが、ここではその一例としてブラシ用ヘッドの場合を示している。なお、柄４はアルミやステンレス等によって構成されており、先端のヘッド８を移動させるために用いる。
【００１５】
アジャスタ６は樹脂によって形成されており、図２に拡大して示されるように、挿入筒部１０と突出部２０を備えて構成される。挿入筒部１０は、有底の筒状部材であり、柄８の先端が自身の内部に挿入される。更に挿入筒部１０には、径方向に貫通する２つの固定孔１２が形成されており、この２つの固定孔１２に１本のピンが挿入可能となっている（詳細は後述）。また挿入筒部１０の外周面には、滑り止め用の凹凸１４が形成されている。
【００１６】
突出部２０は、挿入筒部１０に対して同軸且つ連続状態で配置されている。また、突出部２０は断面が円形であり、突端２２側に向かって次第に細くなっている。従って、突出部２０は外周面が軸線方向Ｌに対して傾斜している部分円錐形状となる。更に具体的にこの突出部２０は、挿入筒部１０側に連続配置される第１突出片２４と、この第１突出片２４と連続すると共に突端２２側に配置される第２突出片２６を備えている。第１突出片２４は、軸線Ｌ方向の長さが第２突出片２６と比較して短く設定されている。また、第１突出片２４の部分円錐形状の母線Ｂ１の傾斜角は、第２突出片２６の部分円錐形状の母線Ｂ２の傾斜角と比較して大きく設定されている。この結果、突出部２０は２種類の傾斜（母線Ｂ１、Ｂ２）を有する部分円錐が組み合わされた構造となっている。なお、第１突出片２４の外形は、第２突出片２６よりも大きくなっているので、突出部２０全体としては、突端２２側に向かって次第に細くなっている。突出部２０の最小外径寸法（ここでは第２突出片２６における突端２２近傍の外径寸法Ｇ）は、挿入筒部１０の内径寸法Ｎよりも小さく設定されている。
【００１７】
図３には、アジャスタ６を用いて柄４とヘッド８を連結した状態が拡大して示されている。アジャスタ６の挿入筒部１０には、柄４の先端が挿入されており、この状態で、ピン３０を柄４の先端と挿入筒部１０の固定孔１２に連続貫通させることで、両者が固定されている。なお、ここではピン３０としてボルト及びナットを利用しているが、他の治具を利用しても構わない。
【００１８】
アジャスタ６の突出部２０は、ヘッド８に設けられている円筒状の柄連結筒４０に挿入される。なお、この柄連結筒４０は、ヘッド８に設けられている首振り機構４２によって前後、左右に傾倒できるようになっている。従って、柄４に対してヘッド８全体を自在に動かすことが出来る。
【００１９】
図４は、アジャスタ６と柄連結筒４０の連結状態を複数示した断面図である。通常は図４（Ａ）に示されるように、柄連結筒４０の内周側に突出部２０が挿入されると、突端２２側に位置する第２突出片２６の外周面２６Ａが柄連結筒４０の内周面４０Ａと密着し、第２突出片２６と柄連結筒４０が締まりばめとなって両者が固定される。従って、実際の柄４の外径が、柄連結筒４０の内径と比較して大き過ぎる場合であっても、このアジャスタ６を介在させることによって容易に連結することができる。なお、連結する際には、挿入筒部１０を手で握って、凹凸１４によって手の滑りを回避しながら柄連結筒４０にねじ込むようにする。
【００２０】
図４（Ｂ）及び（Ｃ）に示されるように、柄連結筒４０の内径が第２突出片２６の最大外径よりも大きくなる場合、柄連結筒４０が第１突出片２４の外周面２４Ａと接触して、両者が固定される。外周面２４Ａの傾斜角が比較的大きいため、第２突出片２６と比較して密着力は劣るが、柄連結筒４０のサイズ変化に対して、軸方向に短い距離で、柔軟に対応できるようになる。
【００２１】
この掃除具１及びアジャスタ６によれば、柄４とヘッド８のサイズが合わない場合であっても、アジャスタ６を介在させることで両者を連結することが可能になる。従って、１本の柄４及びアジャスタ６を用意すれば、各種メーカーや用途のヘッド８に対して、柄４を共有することが可能となり、掃除具の運搬が容易になる。また、掃除中にヘッド８を自在に交換できるようになるので、掃除に要する時間を短縮することが可能になる。
【００２２】
またこのアジャスタ６によれば、突出部２０が第１突出片２４と第２突出片２６に分かれているので、軸方向のサイズをコンパクトに維持しながらも、ヘッド８側が要求する柄の太さに幅広く対応できる。更に比較的細い柄を要求しているヘッド８に対しては、第２突出片２６を利用して密着性を高めることで、連結力を向上させることが出来る。
【００２３】
なお、ヘッド８の柄連結筒４０に対して第１突出片２４を接触させて固定する場合には連結力が低下するが、これを補うことを目的として、図５に示されるように、突出部２０に径方向の連結孔２０Ａを形成しておくことも望ましい。このようにすると、この連結孔２０Ａとヘッド８の柄連結筒４０を連続貫通するピン部材５０（ここではボルト・ナットを利用している）によって、両者を機械的に連結できるようになる。
【００２４】
以上、本実施形態では、アジャスタ６の突出部が第１突出片、第２突出片に分かれている場合に限って示したが、本考案はそれに限定されず、一つの突出片によって構成されていても構わない。
【００２５】
尚、本考案の掃除具用アジャスタは、上記した実施の形態に限定されるものではなく、本考案の要旨を逸脱しない範囲内において種々変更を加え得ることは勿論である。
【産業上の利用可能性】
【００２６】
本考案の掃除具および掃除具用アジャスタは、柄とヘッドを備えた様々な掃除具の用途に利用することが可能である。
【図面の簡単な説明】
【００２７】
【図１】本考案の実施形態に係る掃除具および掃除具用アジャスタを示す斜視図
【図２】同掃除具用アジャスタを拡大して示す正面及び両側面図
【図３】同掃除具用アジャスタの利用状態を拡大して示す斜視図
【図４】同掃除具用アジャスタの複数の連結状態を示す部分断面図
【図５】同掃除具用アジャスタの他の例を示す部分断面図
【符号の説明】
【００２８】
１            ・・・  掃除具
４            ・・・  柄
６            ・・・  アジャスタ
８            ・・・  ヘッド
１０          ・・・  挿入筒部
２０          ・・・  突出部
２２          ・・・  突端
２４          ・・・  第１突出片
２６          ・・・  第２突出片
４０          ・・・  柄連結筒
【図１】
0003122257.tif 000003
【図２】
0003122257.tif 000004
【図３】
0003122257.tif 000005
【図４】
0003122257.tif 000006
【図５】
0003122257.tif 000007